(57)【要約】【課題】  マグネットラッチの代用としてバックパネルのビス止めに用いる頭付き取付けビスを用いることができるようにして、頭付き取付けビスとは別部材としてのマグネットラッチを省略する。【解決手段】  片開き式のドア１０に、閉時に、キャビネット１０に装備されているマグネット６１に引き寄せられるマグネットラッチ６２を設ける。ドア１０は、ドアパネル５１とバックパネル５２とそれら両者を結合している頭付き取付けビス５３とを備える。マグネットラッチ６２と取付けビス５３とを磁性体でなる同一部材によって共用する。【選択図】        図３
2010272821.tif 000002
【特許請求の範囲】
【請求項１】
キャビネットの前面を開閉する片開き式のドアに、このドアの閉時に、上記キャビネットに装備されているマグネットに引き寄せられるマグネットラッチが設けられていると共に、上記ドアが、ドアパネルと、このドアパネルの背面側に取り付けられるバックパネルと、それらのドアパネルとバックパネルとを結合している頭付き取付けビスと、を備えている電気電子機器キャビネットのドア閉止装置において、
上記マグネットラッチと上記取付けビスとが、磁性体でなる同一部材によって共用されていることを特徴とする電気電子機器キャビネットのドア閉止装置。
【請求項２】
上記マグネットの吸着面が上記キャビネットの前面に露出し、上記マグネットラッチの被吸着面が上記バックパネルの背面に露出している請求項１に記載した電気電子機器キャビネットのドア閉止装置。
【請求項３】
上記頭付き取付けビスが、頭部表面が平坦な皿頭ビスでなり、その皿頭ビスの上記頭部表面に弾性材料でなる目隠し片が貼着されていて、その目隠し片の表面が、上記マグネットラッチの被吸着面として形成されている請求項２に記載した電気電子機器キャビネットのドア閉止装置。
【発明の詳細な説明】
【技術分野】
【０００１】
本発明は、電気電子機器キャビネットのドア閉止装置に関する。さらに詳しくは、電気電子機器の外ケースとしてのキャビネットに装備されている片開き式のドアの閉止状態を維持するのに、マグネットの吸引作用を利用している電気電子機器キャビネットのドア閉止装置に関する。
【背景技術】
【０００２】
図４にはドア閉止装置を備えた電気電子機器キャビネットを概略斜視図で示してある。また、図５はドアの要部を拡大して示した背面図、図６は従来例によるドア閉止装置を備えたドア５０の分解斜視図である。
【０００３】
図４のキャビネット１０は、フロントパネル２０とボトムシャーシ３０とトップケース４０とを合わせることによって偏平な箱形に形成されている。このキャビネット１０の上記フロントパネル２０の前面には、当該キャビネットに内蔵されている電気電子機器である磁気テープローダやディスクローダなどのトレイが出退される開口窓２１や情報表示パネル２２、各種のモード選択ボタン２３なとが配備されている。一方、キャビネット１０は、フロントパネル２０の横長の前面（キャビネットの前面）を開閉する横長のドア５０を備えている。このドア５０は、その下辺部が図示していないヒンジ機構を介してフロントパネル２０の下辺部に片開き式に取り付けられていて、フロントパネル２０の前面に重なり合う閉姿勢とフロントパネル２０の前側に倒れ込む開姿勢との間で矢印Ａのように開閉動可能である。
【０００４】
図６に例示したように、上記ドア５０は、当該ドア５０の化粧パネルとしての役割を果たすドアパネル５１と、このドアパネル５１の背面側に取り付けられるバックパネル５２と、それらのドアパネル５１とバックパネル５２とを数箇所で結合する頭付き取付けビス５３と、を備えている。そして、図示によって明らかなように、ドアパネル５１の背面に重ね合わせたバックパネル５２のねじ挿通孔５４に頭付きビス５３を挿通させ、その頭付き取付けビス５３を、ドアパネル５１側のビス止めボス５５にねじ込んで締め付けることによって、バアパネル５１にバックパネル５２が固着される。
【０００５】
このようなキャビネット１０において、ドア５０の閉姿勢を保持する手段として、図４に示したドア閉止装置６０が設けられている。
【０００６】
図４のように、従来例によるドア閉止装置６０は、キャビネット１０に装備されているマグネット６１と、ドア５０に設けられているマグネットラッチ６２とを備えている。このうち、マグネット６１は、フロントパネル２０に開設されている開口にその吸着面が配備されている。また、マグネットラッチ６２は、図６のように、ドアパネル５１とこのドアパネル５１にビス止めされているバックパネル５２とを間に挟み込まれていて、図５のようにバックパネル５２に開設された開口５６にその被吸着面が臨んでいる。
【０００７】
さらに、図４に示したドア閉止装置６０は、横長のフロントパネル２０の前面の幅方向（長手方向）両端部において、ドア５０をマグネット６１の吸引作用で引き寄せるように構成されているのに対し、ドア５０のバックパネル５２のビス止め箇所は、横長のバックパネル５２の幅方向両端部とそれらの中間部位の複数箇所に定められている。そのため、図５に示したように、ドア５０側のマグネットラッチ６２とバックパネル５２の幅方向端部をビス止めしている頭付き取付けビス５３とが互いに接近して位置している。なお、頭付き取付けビス５３の頭部の表面には目隠し片５７が貼着されていて、この目隠し片５７によっで頭付き取付けビス５３の頭部が目立って見苦しくなる、という事態を防いでいる。
【０００８】
このドア閉止装置では、ドア５０でキャビネット１０の前面を閉じると、ドア５０側のマグネットラッチ６２がキャビネット１０側のマグネット６１に引き寄せられて吸着する。これにより、片開き式のドアの閉止状態が維持される。
【０００９】
マグネットとマグネットラッチとによって構成されるドア閉止装置は、光ディスク装置や磁気テープを取り扱う機器のキャビネットの前面を開閉するドアにおいて、従来より多々採用されているところである（たとえば、特許文献１、特許文献２参照）。
【先行技術文献】
【特許文献】
【００１０】
【特許文献１】特開平７−２９６４７７号公報
【特許文献２】特開平６−６０６２６号公報
【発明の概要】
【発明が解決しようとする課題】
【００１１】
本願発明者は、図４〜図６を参照して説明した従来例としてのキャビネット１０において、ドア閉止装置６０のマグネットラッチ６２が板金材などの磁性体で形成されていること、ドア５０のバックパネル５２をビス止めしている頭付き取付けビス５３も、鉄や鉄合金などの磁性体で作られていること、併せて、図５に示したように、ドア５０側のマグネットラッチ６２とバックパネル５２の幅方向端部の頭付き取付けビス５３とが互いに接近して位置していること、などに着目し、従来例では別々の部材として用いられていたマグネットラッチ６２と頭付き取付けビス５３とを磁性体でなる同一部材によって共用することができるならば、マグネットラッチ６２の代用としてバックパネル５２の幅方向端部の頭付き取付けビス５３を用い得ることを見い出した。
【００１２】
本発明は以上の状況の下でなされたものであり、マグネットラッチの代用としてバックパネルのビス止めに用いる頭付き取付けビスを用いることができるようにし、もって、頭付き取付けビスとは別部材としてのマグネットラッチを省略することのできる電気電子機器キャビネットのドア閉止装置を提供することを目的とする。
【課題を解決するための手段】
【００１３】
本発明に係る電気電子機器キャビネットのドア閉止装置は、キャビネットの前面を開閉する片開き式のドアに、このドアの閉時に、上記キャビネットに装備されているマグネットに引き寄せられるマグネットラッチが設けられていると共に、上記ドアが、ドアパネルと、このドアパネルの背面側に取り付けられるバックパネルと、それらのドアパネルとバックパネルとを結合している頭付き取付けビスと、を備えている。そして、上記マグネットラッチと上記取付けビスとが、磁性体でなる同一部材によって共用されている。
【００１４】
この構成を採用すると、バックパネルのビス止めに用いる頭付き取付けビスがマグネットラッチの代用部品として役立つので、頭付き取付けビスとは別部材としてのマグネットラッチを省略することが可能になり、それだけ部品点数が削減される。
【００１５】
本発明では、上記マグネットの吸着面が上記キャビネットの前面に露出し、上記マグネットラッチの被吸着面が上記バックパネルの背面に露出している、という構成を採用することが可能である。特に、上記頭付き取付けビスが、頭部表面が平坦な皿頭ビスでなり、その皿頭ビスの上記頭部表面に弾性材料でなる目隠し片が貼着されていて、その目隠し片の表面が、上記マグネットラッチの被吸着面として形成されている、という構成を採用することが可能である。この構成によれば、皿頭ビスの頭部表面が平坦であることによって、その頭部表面が球面などの非平坦面に形成されている場合よりも目隠し片を容易かつ確実に貼着することが可能であるだけでなく、目隠し片の表面によって形成される被吸着面を平坦面に形成しやすいので、マグネットとの吸着力の低下を抑制しやすくなる。
【発明の効果】
【００１６】
以上のように、本発明によれば、ドア閉止装置のマグネットラッチが、ドアのバックパネルをドアパネルにビス止めするための頭付き取付けビスによって代用されるために、頭付き取付けビスの他に別部材としてのマグネットラッチを省略して部品点数を削減することが可能になる。そのため、ドア閉止装置ひいてはドアを有するキャビネットの組立工程の工数と部品コストとが削減されるという効果が奏される。
【図面の簡単な説明】
【００１７】
【図１】本発明の実施形態に係るドア閉止装置を備えたドアの要部を拡大した背面図である。
【図２】同ドア閉止装置を備えたドアの分解斜視図である。
【図３】ドア閉時でのドア閉止装置を示した断面図である。
【図４】従来例としてのドア閉止装置を備えた電気電子機器キャビネットの概略斜視図である。
【図５】従来例によるドア閉止装置を備えたドアの要部を拡大して示した背面図である。
【図６】従来例によるドア閉止装置を備えたドアの分解斜視図である。
【発明を実施するための形態】
【００１８】
図１は本発明の実施形態に係るドア閉止装置６０を備えたドア５０の要部を拡大した背面図、図２は同ドア閉止装置６０を備えたドア５０の分解斜視図、図３はドア閉時でのドア閉止装置６０を示した断面図である。
【００１９】
図２のように、ドア５０は、化粧パネルとしての役割を果たす横長のドアパネル５１と、このドアパネル５１の背面側に取り付けられる横長のバックパネル５２と、それらのドアパネル５１とバックパネル５２とを数箇所で結合する頭付き取付けビス５３と、を備えている。そして、ドアパネル５１の背面に重ね合わせたバックパネル５２のねじ挿通孔５４に頭付きビス５３を挿通させ、その頭付き取付けビス５３を、ドアパネル５１側のビス止めボス５５にねじ込んで締め付けることによって、バアパネル５１にバックパネル５２が固着される。
【００２０】
図２の構成を有するドア５０は横長に形成されていて、図４を参照して説明した従来例と同様に、その下辺部が図示していないヒンジ機構を介してキャビネット１０のフロントパネル２０の下辺部に片開き式に取り付けられる。そして、フロントパネル２０の前面に重なり合う閉姿勢とフロントパネル２０の前側に倒れ込む開姿勢との間で図４の矢印Ａのように開閉動可能である。なお、図４を参照して説明した従来例と同様に、キャビネット１０は、フロントパネル２０とボトムシャーシ３０とトップケース４０とを合わせることによって偏平な箱形に形成されている。さらに、フロントパネル２０の前面には、当該キャビネットに内蔵されている電気電子機器である磁気テープローダやディスクローダなどのトレイが出退される開口窓２１や情報表示パネル２２、各種のモード選択ボタン２３なとが配備されている。
【００２１】
この実施形態において、ドア５０のバックパネル５２を複数箇所でビス止めしている頭付き取付けビス５３のうち、バックパネル５２の長手方向両端部の２つの頭付き取付けビス５３は、図４を参照して説明したマグネットラッチ６２の設置位置に位置していて、頭付き取付けビス５３とは別部材であるマグネットラッチ６２を設けていない。したがって、バックパネル５２には、マグネットラッチ６２の被吸着面を臨ませるための開口５６（図５又は図６参照）も設けられていない。
【００２２】
実施形態に係るドア閉止装置６０は、キャビネット１０に装備されてフロントパネル２０の前面に配備されているマグネット６１と、そのマグネット６１の相手方部材としてのマグネットラッチ６２をドア５０側に備えている。図４を参照したところと同様に、この実施形態において、マグネット６１は、フロントパネル２０に開設されている開口にその吸着面が露出している。これに対し、ドア５０側に備わっているマグネットラッチ６２は、バックパネル５２の長手方向両端部の頭付き取付けビス５３によって代用されている。言い換えると、マグネットラッチ６２と頭付き取付けビス５３とが、鉄や鉄合金などの磁性体でなる同一部材によって共用されている。そして、図１に示したように、マグネットラッチ６２の代用としての頭付き取付けビス５３の頭部５８が、バックパネル５２の背面のねじ挿通孔５４の形成箇所で露出している。この実施形態では、バックパネル５２のねじ挿通孔５４の形成箇所に円形リブ５９を形成してあり、その円形リブ５９の内側空間に頭付き取付けビス５３の頭部５８を収容させている。また、頭付き取付けビス５３の頭部５８の位置は、図５を参照して説明したマグネットラッチ６２の設置位置と同じ位置に定めてある。
【００２３】
図３に示したように、この実施形態では、マグネットラッチ６２の代用としての頭付き取付けビス５３として、頭部表面が平坦な皿頭ビスが用いられている。そして、その皿頭ビスの頭部５８の平坦な表面に、ゴム片などの弾性材料でなる平らな目隠し片６５が粘着剤を用いて貼着されている。したがって、頭付き取付けビス５３によって代用されているマグネットラッチ６２の被吸着面が、目隠し片６５の表面によって形成されている。この目隠し片６５は、頭付き取付けビス５３の頭部が目立って見苦しくなる、という事態を防いでいる。また、皿頭ビスの頭部表面が平坦であることによって、その頭部表面が球面などの非平坦面に形成されている場合よりも目隠し片を容易かつ確実に貼着することが可能になっている。さらに、目隠し片６５に平らなゴム材を用いたことにより、目隠し片６５の表面によって形成される被吸着面が平坦面になり、そのことが、マグネットとの吸着力の低下を抑制することに役立つ。
【００２４】
このドア閉止装置では、ドア５０でキャビネット１０（図４参照）の前面を閉じると、ドア５０側のマグネットラッチ６２の代用としての頭付き取付けビス５３がキャビネット１０側のマグネット６１に引き寄せられて吸着する。これにより、片開き式のドアの閉止状態が維持される。特に、この実施形態では、頭付き取付けビス５３に、頭部表面が平坦な皿頭ビスが用いられ、その皿頭ビスの頭部にゴム材でなる目隠し片６５が貼着されているので、マグネットラッチ６２の被吸着面としての目隠し片６５の表面がマグネット６１に引き寄せられて衝突するときに発生する衝突音が軽減されてドア開閉時の動作品位が向上する。
【００２５】
上記した実施形態では、マグネットラッチ６２の代用としての頭付き取付けビス５３として皿頭ビスを用いているけれども、この点は、皿頭ビスに代えて丸頭ビスを用いることも可能である。また、目隠し片６５は省略することが可能であるけれども、ドア５０が開いたときに頭付き取付けビス５３が目立たないようにするためには、目隠し片６５を用いることが好ましい。
【００２６】
さらに、この実施形態では、２箇所のドア閉止装置６０によって閉時のドア５０をキャビネット１０の前面との重なり位置で閉止するように構成しているけれども、ドア閉止装置６０の設置位置や個数は実施形態に限定されない。たとえば、ドア閉止装置のマグネットをキャビネットの前面の長手方向中央の１箇所だけに設け、そのマグネットの相手方部材であるマグネットラッチ６２の代用しての頭付き取付けビスとして、バックパネルの長手方向中央の１箇所に設けた頭付き取付けビスを選択することも可能である。
【００２７】
なお、説明の便宜上、図１〜図４では、同一又は相応する要素に同一の符号を付してある。
【符号の説明】
【００２８】
１０  キャビネット
５０  ドア
５１  ドアパネル
５２  バックパネル
５３  頭付き取付けビス
６０  ドア閉止装置
６１  マグネット
６２  マグネットラッチ
６５  目隠し片
【図１】
2010272821.tif 000003
【図２】
2010272821.tif 000004
【図３】
2010272821.tif 000005
【図４】
2010272821.tif 000006
【図５】
2010272821.tif 000007
【図６】
2010272821.tif 000008